(57)【要約】【課題】  手ブレやピントずれ、不適正露出などのある撮影状態の悪い画像の画像データと、撮影状態の良好な画像データとを分類して記録媒体に記録する電子カメラを提供する。【解決手段】  画像評価項目が複数用意されており、撮影者は撮影した画像をどの画像評価項目に関して評価するか、前記画像評価項目の中から１つもしくは複数選択する。各画像評価項目に対応する良好画像の評価値許容範囲が評価値許容範囲メモリ１５０に予め記憶させてあり、撮影時に算出した、各画像評価項目に関する撮影した画像の評価値と比較する。その比較結果から撮影した画像が選択した各画像評価項目に関して良好であるか、否かを判別することが可能であり、良好であった場合は記録媒体２００内の撮影状態良好画像用フォルダーに画像データを記録し、否の場合は記録媒体２００内の撮影状態不良画像用フォルダーに画像データを記録する。【選択図】        図１
2005184609.tif 000002
【特許請求の範囲】
【請求項１】
撮影レンズによって投影された被写界像を撮像し、電気信号に変換し、撮影された画像を画像データとして記録媒体に記録する電子カメラにおいて、複数の画像評価項目と、該複数の画像評価項目から一つもしくは複数選択する画像評価項目選択手段と、該画像評価項目選択手段にて選択された評価項目に関して前記画像を評価する画像評価手段と、前記画像評価項目ごとに所定のレベルと、前記画像評価手段の評価結果が所定のレベル以上であるかを判定する画像判定手段と、画像判定手段の判定結果に基づき前記記録媒体の記録領域にフォルダーを作成するフォルダー作成手段を有し、前記画像判定手段により所定のレベル以上であると判定された場合は、前記記録媒体の記録領域内の前記画像判定手段により所定のレベル以上であると判定された画像を記録するフォルダーに画像データを記録し、前記画像判定手段により所定のレベル以下であると判定された場合は、前記記録媒体の記録領域内の前記画像判定手段により所定のレベル以下であると判定された画像を記録するフォルダーに画像データを記録することを特徴とする電子カメラ。
【請求項２】
前記画像判定手段により、所定のレベル以下であると判定された画像が記録されているフォルダー内の画像データのみを全て消去する画像データ消去手段を有することを特徴とする請求項１に記載の電子カメラ。
【請求項３】
撮影レンズによって投影された被写界像を撮像し、電気信号に変換し、撮影された画像を画像データとして所定の記録媒体に記録する電子カメラにおいて、複数の画像評価項目と、該複数の画像評価項目から一つもしくは複数選択する画像評価項目選択手段と、該画像評価項目選択手段にて選択された評価項目に関して前記画像を評価する画像評価手段を有し、前記画像評価項目ごとに所定のレベルが設定されており、前記画像評価手段の評価結果が、所定のレベル以上であるかを判定する画像判定手段を有し、該画像判定手段により所定のレベル以下であると判定された場合は、所定のレベル以下であることを示す付帯情報を画像データに付帯させ、前記記録媒体に記録することを特徴とする電子カメラ。
【請求項４】
前記所定のレベル以下であることを示す付帯情報が付帯した全画像データを消去する画像データ消去手段を有することを特徴とする請求項３に記載の電子カメラ。
【請求項５】
前記画像データに対応する画像を表示する画像表示手段と、前記所定のレベル以下であることを示す付帯情報が付帯した画像データを読み出す画像データ読み出し手段と、画像データを選択する画像データ選択手段と、該画像データ選択手段意より択された画像データを消去する画像データ消去手段を有することを特徴とする請求項４に記載の電子カメラ。
【発明の詳細な説明】
【技術分野】
【０００１】
本発明は、被写体像を撮像して記録媒体内のフォルダーに画像データを記録する電子カメラに関する。より詳しくは、手ブレやピントずれ、露出ずれなどのある撮影状態の悪い画像の画像データと、そうでない撮影状態の良好な画像データとを分類して記録する技術に関する。
【背景技術】
【０００２】
一般に、手持ちでカメラ撮影を行うような場合では、往々にして手ブレを生じてしまう。手ブレが生じると、被写界が流れて露光されるため、全体にぼやけた画像が撮影される。このようにぼやけてしまった画像は、画面全体の細かなディテールが失われる上に、エッジ部分がだれてしまう。
【０００３】
従来、このような手ブレによる不具合を解消するものとして、手ブレ補正機構付きのカメラが知られている。図７は、手ブレ補正機構付きカメラを示す図である。図７において、カメラ６０１の前面には、撮影レンズ６０２が取り付けられる。撮影レンズ６０２の鏡筒内には、手ブレ補正光学系６０３が回動自在に配置される。この手ブレ補正光学系６０３は、２軸のコアレスモーター６０４，６０５の回転が伝達され、上下および左右に振動する。カメラ６０１側には、左右方向の手ブレ量を検出する手ブレ量検出センサー６０６と、上下方向の手ブレ量を検出する手ブレ量検出センサー６０７とが配置される。このような構成のカメラ６０１では、手ブレ量検出センサー６０６，６０７を用いてカメラ本体の振動が検出される。カメラ６０１は、検出された振動と逆方向にコアレスモーター６０４，６０５を駆動し、ブレ補正光学系６０３の光軸を振動させる。その結果、撮影光軸の振動が打ち消され、手ブレが補正された良好な写真を撮影することが出来る。
【０００４】
一方、従来から撮像手段と画像記憶手段に加えて、撮像された画像を再生表示する画像表示手段を有する電子スチルカメラが種々提案されている。
【特許文献１】特願平０５−１６５０７６号公報
【特許文献２】特願平１０−３３９８９８号公報
【発明の開示】
【発明が解決しようとする課題】
【０００５】
このような従来の技術では、撮影レンズ６０２内にブレ補正光学系６０３を配置していた。そのため、撮影レンズ６０２が大型化かつ重量化するという問題点があった。また、ブレ補正光学系６０３を配置するスペースを撮影レンズ６０２内に確保しなければならず、撮影レンズ６０２の設計自由度が低くなるという問題点があった。さらに、手ブレ補正光学系６０３を設けた分だけ、撮影レンズ６０２内の内面反射が増える。そのため、逆光撮影時などにおいてフレアを生じやすいという問題点があった。また、手ブレ補正光学系６０３を駆動する際に電力を消費するため、バッテリ寿命が短くなるという問題点があった。
【０００６】
また、ぼやけた画像は、上述した手ブレに限らず、被写体振れやピントずれにおいても発生する。しかしながら、従来の手ブレ補正機構はカメラの振動を打ち消すのみであるため、これらの被写体振れやピントずれについては防止できないという問題点があった。特に、近年における撮像素子の高解像度化や小型化に伴い、１画素当たりの受光面積はますます縮小し、撮像素子の実効感度は低くなっている。そのため、撮像素子の露光時間は一般的に長くなる傾向にあり、手ブレや被写体振れの発生する頻度が高くなっている。
【０００７】
一方、電子カメラの多くは、電子カメラ本体にＴＦＴやＬＣＤなどから成る画像表示手段を有しており、該画像表示手段に撮影した画像を表示させることによって、撮影後すぐに画像を確認することが出来る。しかしながら、電子カメラ本体に内蔵の画像表示手段は、配置スペースの問題上比較的小型のものが多く、撮像素子に比べて画素数が少ない。このため手ブレや被写体振れ、ピントずれおよび不適正な露出など画像の撮影状態を正確に観察するには不十分である。撮影状態を正確に観察する必要がある場合、撮影した画像をパソコンなどに伝送し、比較的高解像度の画像表示手段で表示したり、あるいはプリンタで印刷して観察することもある。
【０００８】
本発明は前記問題点を鑑みてなされたものであり、請求項１および３に記載の発明では、手ブレやピントずれ、不適正露出などのある撮影状態の悪い画像の画像データと、そうでない撮影状態の良好な画像データとを分類して記録媒体に記録する電子カメラを提供することを目的としている。
【０００９】
請求項２および４に記載の発明では、撮影状態の悪い全ての画像の画像データを、記録している記録媒体から容易に消去することが可能な電子カメラを提供することを目的としている。
【００１０】
請求項５に記載の発明では、撮影状態の悪い画像の画像データのみを画像表示手段に表示させ、不必要な画像を撮影者が容易に選択・消去することが可能な電子カメラを提供することを目的としている。
【課題を解決するための手段】
【００１１】
本発明は上記目的を達成するために、第１に、撮影レンズに投影された被写界像を撮像し、電気信号に変換し、撮影された画像を画像データとして記録媒体に記録する電子カメラにおいて、複数の画像評価項目と、該複数の画像評価項目から一つもしくは複数選択する画像評価項目選択手段と、該画像評価項目選択手段にて選択された評価項目に関して前記画像を評価する画像評価手段を有し、前記画像評価項目ごとに所定のレベルが設定されており、前記画像評価手段の評価結果が所定のレベル以上であるかを判定する画像判定手段を有し、該画像判定手段により所定のレベル以下であると判定された場合は、前記記録媒体の記録領域に前記画像判定手段により所定のレベル以上であると判定された画像データ専用のフォルダーを作成し、該フォルダーに画像データを記録することを特徴としている。
【００１２】
このような構成の電子カメラでは、撮影した画像を、撮影者が設定した一つもしくは複数の画像評価項目に関して評価し、前記画像評価項目に関しての撮影状態によってフォルダーを分けて記録媒体に記録することによって、画像データをパソコンなどに伝送し、比較的高解像度の画像表示手段に画像を表示させたり、プリンタで印刷して画像の撮影状態を観察せずとも、画像の撮影状態が良好であるか、否かを容易に判別することが可能である。
【００１３】
第２に、前記画像判定手段により、所定のレベル以下であると判定された画像が記録されているフォルダー内の画像データのみを全て消去する画像データ消去手段を有することを特徴としている。
【００１４】
このような構成の電子カメラでは、撮影者が設定した一つもしくは複数の画像評価項目に関して、撮影状態の悪い画像の画像データのみを、容易に記録媒体から消去することが可能である。
【００１５】
第３に、撮影レンズに投影された被写界像を撮像し、電気信号に変換し、撮影された画像を画像データとして所定の記録媒体に記録する電子カメラにおいて、複数の画像評価項目と、該複数の画像評価項目から一つもしくは複数選択する画像評価項目選択手段と、該画像評価項目選択手段にて選択された評価項目に関して前記画像を評価する画像評価手段を有し、前記画像評価項目ごとに所定のレベルが設定されており、前記画像評価手段の評価結果が、所定のレベル以上であるかを判定する画像判定手段を有し、該画像判定手段により所定のレベル以下であると判定された場合は、所定のレベル以下であることを示す付帯情報を画像データに付帯させ、前記記録媒体に記録することを特徴としている。
【００１６】
このような構成の電子カメラでは、撮影した画像を、撮影者が設定した一つもしくは複数の画像評価項目に関して評価し、前記画像評価項目に関しての撮影状態の悪い画像の画像データには、そのことを示す付帯情報を付帯し、記録媒体に記録することによって、画像データをパソコンなどに伝送し、比較的高解像度の画像表示手段に画像を表示させたり、プリンタで印刷して画像の撮影状態を観察せずとも、画像の撮影状態が良好であるか、否かを容易に判別することが可能である。
【００１７】
第４に、前記所定のレベル以下であることを示す付帯情報が付帯した全画像データを消去する画像データ消去手段を有することを特徴としている。
【００１８】
このような構成の電子カメラでは、撮影者が設定した一つもしくは複数の画像評価項目に関して、撮影状態の悪い画像のみを記録媒体から消去することが可能である。
【００１９】
第５に、前記画像データに対応する画像を表示する画像表示手段と、前記所定のレベル以下であることを示す付帯情報が付帯した画像データを読み出す画像データ読み出し手段と、画像データを選択する画像データ選択手段と、該画像データ選択手段意より択された画像データを消去する画像データ消去手段を有することを特徴としている。
【００２０】
このような構成の電子カメラでは、撮影者が設定した一つもしくは複数の画像評価項目に関して、撮影状態の悪い画像のみを画像表示手段に表示することで、実際の画像を見ながら撮影状態の悪い画像の中でも撮影者が不要と思われる画像を選択し、記録媒体から消去することが可能である。
【００２１】
なお、さらに詳細に説明すれば、本発明は下記の構成によって前記課題を解決できた。
【００２２】
（１）撮影レンズによって投影された被写界像を撮像し、電気信号に変換し、撮影された画像を画像データとして記録媒体に記録する電子カメラにおいて、複数の画像評価項目と、該複数の画像評価項目から一つもしくは複数選択する画像評価項目選択手段と、該画像評価項目選択手段にて選択された評価項目に関して前記画像を評価する画像評価手段と、前記画像評価項目ごとに所定のレベルと、前記画像評価手段の評価結果が所定のレベル以上であるかを判定する画像判定手段と、画像判定手段の判定結果に基づき前記記録媒体の記録領域にフォルダーを作成するフォルダー作成手段を有し、前記画像判定手段により所定のレベル以上であると判定された場合は、前記記録媒体の記録領域内の前記画像判定手段により所定のレベル以上であると判定された画像を記録するフォルダーに画像データを記録し、前記画像判定手段により所定のレベル以下であると判定された場合は、前記記録媒体の記録領域内の前記画像判定手段により所定のレベル以下であると判定された画像を記録するフォルダーに画像データを記録することを特徴とする電子カメラ。
【００２３】
（２）前記画像判定手段により、所定のレベル以下であると判定された画像が記録されているフォルダー内の画像データのみを全て消去する画像データ消去手段を有することを特徴とする前記（１）に記載の電子カメラ。
【００２４】
（３）撮影レンズによって投影された被写界像を撮像し、電気信号に変換し、撮影された画像を画像データとして所定の記録媒体に記録する電子カメラにおいて、複数の画像評価項目と、該複数の画像評価項目から一つもしくは複数選択する画像評価項目選択手段と、該画像評価項目選択手段にて選択された評価項目に関して前記画像を評価する画像評価手段を有し、前記画像評価項目ごとに所定のレベルが設定されており、前記画像評価手段の評価結果が、所定のレベル以上であるかを判定する画像判定手段を有し、該画像判定手段により所定のレベル以下であると判定された場合は、所定のレベル以下であることを示す付帯情報を画像データに付帯させ、前記記録媒体に記録することを特徴とする電子カメラ。
【００２５】
（４）前記所定のレベル以下であることを示す付帯情報が付帯した全画像データを消去する画像データ消去手段を有することを特徴とする前記（３）に記載の電子カメラ。
【００２６】
（５）前記画像データに対応する画像を表示する画像表示手段と、前記所定のレベル以下であることを示す付帯情報が付帯した画像データを読み出す画像データ読み出し手段と、画像データを選択する画像データ選択手段と、該画像データ選択手段意より択された画像データを消去する画像データ消去手段を有することを特徴とする前記（４）に記載の電子カメラ。
【発明の効果】
【００２７】
本発明請求項１および３に記載の発明によれば、撮影した画像を撮影者が設定した１つもしくは複数の画像評価項目に関して評価し、評価の結果、撮影状態が悪いと判定された画像の画像データと、そうでない撮影状態良好であると判定された画像データとを分類して記録媒体に記録することによって、画像データをパソコンなどに伝送し、比較的高解像度の画像表示手段に画像を表示させたり、プリンタで印刷して画像の撮影状態を観察せずとも、撮影状態が良好な画像と、そうでない画像を容易に区別することが可能である。
【００２８】
請求項２および４に記載の発明によれば、撮影状態の悪い全ての画像の画像データを、記録している記録媒体から容易に消去することが可能である。
【００２９】
請求項５に記載の発明では、撮影状態の悪い画像の画像データのみを画像表示手段に表示させ、不必要な画像を撮影者が容易に選択・消去することが可能である。
【発明を実施するための最良の形態】
【００３０】
以下本発明を実施するための最良の形態を、実施例により詳しく説明する。
【実施例】
【００３１】
以下、図面を参照して本発明の実施の形態を説明する。
【００３２】
図１は、本発明の一実施形態を示す電子カメラの内部構成を示すブロック構成図である。
【００３３】
図１に示すように、本実施形態の電子カメラは、電子カメラ本体を構成する電子カメラ本体１００と、複数の撮影レンズ３１０などからなる撮影光学系など（以下、単に撮影レンズ３１０または撮影光学系という）とこれを駆動させる駆動手段および撮影レンズ３１０を透過する光束の入射光量を調整する光量制限手段などによって構成される撮影レンズユニット３００とによって構成されており、撮影レンズユニット３００は電子カメラ本体１００に対して着脱自在に配設されている。
【００３４】
電子カメラ本体１００は、以下のように構成されている。
【００３５】
１２は撮像素子１４への露光量を制御するためのシャッターで、１４は光学像を電気信号に変換する撮像素子である。撮影レンズ３１０に入射した光線は、一眼レフ方式によって光量制限手段である絞り３１２、レンズマウント３０６および１０６、ミラー１３０、シャッター１２を介して導き、光学像として撮像素子１４上に結像する。
【００３６】
１３０、１３２はミラーで、撮影レンズ３１０に入射した光線を一眼レフ方式によって光学ファインダー１０４に導く。なお、ミラー１３０はクイックリターンミラーの構成としても、ハーフミラーの構成としても、どちらでも構わない。
【００３７】
１６は撮像素子１４からのアナログ信号出力をデジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２およびシステム制御回路５０により制御される。
【００３８】
２０は画像処理回路であり、Ａ／Ｄ変換器１６からのデータあるいはメモリ制御回路２２からのデータに対して所定の画素補間処理や色変換処理を行う。また、画像処理回路２０においては、必要に応じて撮像した画像データを用いて所定の演算処理を行い、得られた演算結果に基づいてシステム制御回路５０が露光制御手段４０、測距制御手段４２に対して制御を行うＴＴＬ（スルー・ザ・レンズ）方式のＡＦ（オートフォーカス）処理、ＡＥ（自動露出制御）処理、ＥＦ（ストロボ調光）処理を行う。さらに、画像処理回路２０においては、ホワイトバランス制御回路４６により得られた演算結果に基づいてＷＢ（ホワイトバランス）処理も行っている。
【００３９】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、あるいはＡ／Ｄ変換器１６のデータが直接メモリ制御回路２２を介して画像表示メモリ２４あるいはメモリ３０に書き込まれる。
【００４０】
２４は画像表示メモリ、２６はＤ／Ａ変換器、２８はＴＦＴ・ＬＣＤなどから成る画像表示部であり、画像表示メモリ２４に書き込まれた表示用の画像データは、Ｄ／Ａ変換器２６を介して画像表示部２８により表示される。画像表示部２８を用いて撮像した画像データを逐次表示すれば、電子ビューファインダー機能を実現することも可能である。また、画像表示部２８は、システム制御回路５０の指示により任意に表示をＯＮ／ＯＦＦすることが出来、表示をＯＦＦにした場合には電子カメラ本体１００の電力消費を大幅に低減することが可能である。
【００４１】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００４２】
３２は適応離散コサイン変換（ＡＤＣＴ）などにより画像データを圧縮伸長する圧縮・伸長回路であり、メモリ３０に格納された画像を読み込んで圧縮処理あるいは伸長処理を行い、処理を終えたデータをメモリ３０に書き込む。４０は測光手段４３からの測光情報に基づいて、絞り３１２を制御する絞り制御手段３４０と連携しながらシャッター１２を制御するシャッター制御手段である。
【００４３】
４２はＡＦ（オートフォーカス）処理を行うための測距手段であり、レンズ３１０に入射した光線を一眼レフ方式によって絞り３１２、レンズマウント３０６および１０６、ミラー１３０そして測距用サブミラー（図示せず）を介して測距手段４２に入射させることにより、光学像として結像された画像の合焦状態を測定することが出来る。
【００４４】
４３はＡＥ（自動露出）処理を行うための測光手段であり、撮影レンズ３１０に入射した光線を一眼レフ方式によって絞り３１２、レンズマウント３０６および１０６、ミラー１３０および１３２そして測光用レンズ（図示せず）を介して測光手段４３に入射させることにより、光学像として結像された画像の露出状態を測定することが出来る。また、測定手段４３は、ストロボ４８と連携することによりＥＦ（ストロボ調光）処理機能も有する。
【００４５】
４５はホワイトバランス算出回路で、ＴＴＬ方式により撮像した画像データを用いて色温度を算出する。
【００４６】
４６はホワイトバランス制御回路で、撮影者の光源選択や色温度入力に応じて予め設定されたホワイトバランス調整のゲインなどによって画像処理回路２０がホワイトバランスの処理をするのに必要なホワイトバランス補正データを算出する。
【００４７】
４８はストロボであり、ＡＦ補助光の投光機能、ストロボ調光機能も有する。なお、撮像素子１４によって撮像した画像データを画像処理回路２０によって演算した演算結果に基づき、システム制御回路５０がシャッター制御手段４０、絞り制御手段３４０、測距制御手段３４２に対して制御を行う、ビデオＴＴＬ方式を用いて露出制御およびＡＦ（オートフォーカス）制御をすることも可能である。さらに、測距手段４２による測定結果と、撮像素子１４によって撮像した画像データを画像処理回路２０によって演算した演算結果とを共に用いてＡＦ（オートフォーカス）制御を行っても構わない。そして、測光手段４３による測定結果と、撮像素子１４によって撮像した画像データを画像処理回路２０によって演算した演算結果とを共に用いて露出制御を行っても構わない。
【００４８】
５０は電子カメラ本体１００全体を制御するシステム制御回路、５４はシステム制御回路５０でのプログラムの実行に応じて、文字、画像、音声などを用いて動作状態やメッセージを表示する液晶表示装置やスピーカーなどの表示部であり、電子カメラ本体１００の操作部近辺の視認しやすい位置に１個もしくは複数個設置され、例えばＬＣＤやＬＥＤ、発音素子などの組み合わせにより構成されている。表示部５４は、その一部の機能が光学ファインダー１０４内に設置されている。表示部５４の表示内容のうち、ＬＣＤなどに表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００および２１０の着脱状態表示、撮影レンズユニット３００の着脱状態表示、通信Ｉ／Ｆ動作表示、日付・時刻表示、外部コンピュータとの接続状態を示す表示などがある。また、表示部５４の表示内容のうち、光学ファインダー１０４内に表示するものとしては、合焦表示、撮影準備完了表示、手ブレ警告表示、フラッシュ充電表示、フラッシュ充電完了表示、シャッタースピード表示、絞り値表示、露出補正表示、記録媒体書き込み動作表示などがある。さらに、表示部５４の表示内容のうちＬＥＤなどに表示するものとしては、合焦表示、撮影準備完了表示、手ブレ警告表示、フラッシュ充電表示、フラッシュ充電完了表示、記録媒体書き込み動作表示、マクロ撮影設定通知表示、二次電池充電状態表示などがある。そして、表示部５４の表示内容のうちランプなどに表示するものとしては、セルフタイマー通知ランプなどがある。このセルフタイマー通知ランプはＡＦ補助光と共用して用いても良い。
【００４９】
５６は電気的に消去・記録可能な不揮発性メモリであり、例えばＥＥＰＲＯＭなどが用いられる。
【００５０】
６０、６２、６４、６６、６８および７２は、システム制御回路５０の各種の動作指示を入力するための操作手段であり、スイッチやダイヤル、タッチパネル、視線検知によるポインティング、音声認識装置などの単数あるいは複数の組み合わせで構成される。
【００５１】
ここで、これらの操作手段の具体的な説明を行う。６０はモードダイアルスイッチで、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モードなどの各機能撮影モードを切り替え設定することが出来る。
【００５２】
６２はレリーズスイッチＳＷ１で、レリーズボタン（図示せず）の操作途中でＯＮとなり、ＡＦ（オートフォーカス）処理、ＡＥ（自動露出）処理、ＷＢ（ホワイトバランス）処理、ＥＦ（ストロボ調光）処理などの動作開始を指示する。
【００５３】
６４はレリーズスイッチＳＷ２で、レリーズボタン（図示せず）の操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００あるいは２１０に画像データを書き込む記録処理という一連の処理の動作開始を指示する。
【００５４】
６６は撮影された画像を評価する項目を選択する画像評価項目選択スイッチで、ピント、露出、コントラスト、手ブレなどがある。
【００５５】
６８は再生画像移動ボタンで、＋（プラス）ボタンと−（マイナス）ボタンがあり、＋（プラス）ボタンを操作することにより現在選択している画像の１つ後の画像を選択、画像表示部２８に表示し、−（マイナス）ボタンを操作することにより現在選択している画像の１つ前の画像を選択、画像表示部２８に表示する。
【００５６】
７０は画像消去ボタンで、画像表示部２８に現在表示している画像の画像データを記録媒体２００内の記録領域２０２から消去する。
【００５７】
７２はホワイトバランス選択スイッチで、撮像素子１４の出力信号から外光の色を算出し、その色温度データを用いるＴＴＬ方式によってホワイトバランスの調整を行うオートホワイトバランスと、撮影環境の光源の種類（例えば太陽光、電球、蛍光灯など）を撮影者が判断し、光源選択手段（図示せず）により光源の種類を選択し、または撮影者が撮影環境の色合い（色温度）を測定し、色温度入力手段により電子カメラに撮影環境の色温度を入力し、この光源の選択や色温度の入力に応じて赤信号回路の利得と青信号回路の利得とが、予め設定されている光源および色温度固有の固定ゲインに設定されるマニュアルホワイトバランスとを選択する。
【００５８】
７４は各種ボタンやタッチパネルなどからなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、撮影画質選択ボタン、露出補正ボタン、日付／時間設定ボタン、パノラマモードなどの撮影および再生を実行する際に各種機能の選択および切り替えを設定する選択／切り替えボタン、パノラマモードなどの撮影および再生を実行する際に各種機能の決定および実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため、あるいは撮像素子の信号をそのままデジタル化して記録媒体に記録するＣＣＤＲＡＷモードを選択するためのスイッチである圧縮モードスイッチ、再生モード、撮影状態不良画像再生モード、ＰＣ接続モードなどの各機能モードを設定することが出来る再生スイッチ、レリーズスイッチＳＷ１を押したならばオートフォーカス動作を開始し一旦合焦したならばその合焦状態を保ち続けるワンショットＡＦモードとレリーズスイッチＳＷ１を押している間は連続してオートフォーカス動作を続けるサーボＡＦモードとを設定することが出来るＡＦモード設定スイッチなどがある。
【００５９】
また、上記プラスボタンおよびマイナスボタンの各機能は、回転ダイアルスイッチを備えることによって、より軽快に数値や機能を選択することが可能となる。
【００６０】
７６は電源スイッチで、電子カメラ本体１００の電源オン、電源オフの各モードを切り替え設定することが出来る。また、電子カメラ本体１００に接続された撮影レンズユニット３００、外部ストロボ（図示せず）、記録媒体２００、２１０などの各種付属装置の電源オン、電源オフの設定も合わせて切り替え設定することが出来る。
【００６１】
８０は電源制御手段で、電池検出回路、ＤＣ−ＤＣコンバータ、通電するブロックを切り替えるスイッチ回路などにより構成されており、電池の装着の有無、電池の種類、電池残量の検出を行い、検出結果およびシステム制御回路５０の指示に基づいてＤＣ−ＤＣコンバータを制御し、必要な電圧を必要な期間、記録媒体を含む各部へ供給する。
【００６２】
８２および８４はコネクタ、８６はアルカリ電池やリチウム電池などの一次電池やＮｉＣｄ電池やＮｉＭＨ電池、Ｌｉ電池などの二次電池、ＡＣアダプターなどからなる電源手段である。
【００６３】
９０および９４はメモリカードやハードディスクなどの記録媒体とのインターフェース９２および９６はメモリカードやハードディスクなどの記録媒体と接続を行うコネクタ、９８はコネクタ９２および９６に記録媒体２００あるいは２１０が装着されているか否かを検知する記録媒体着脱検知手段である。
【００６４】
なお、本実施例では記録媒体を取り付けるインターフェースおよびコネクタを２系統持つものとして説明している。もちろん、記録媒体を取り付けるインターフェースおよびコネクタは、１つもしくは複数、いずれの系統数を備える構成としても構わない。また、異なる規格のインターフェースおよびコネクタを組み合わせて備える構成としても構わない。インターフェースおよびコネクタとしては、ＰＣＭＣＩＡカードやＣＦ（コンパクトフラッシュ（Ｒ））カードなどの規格に準拠したものを用いて構成して構わない。さらに、インターフェース９０および９４、そしてコネクタ９２および９６をＰＣＭＣＩＡカードやＣＦ（コンパクトフラッシュ（Ｒ））カードなどの規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳの通信カードなど、各種通信カードを接続することにより、他のコンピュータやプリンタなどの周辺機器との間で画像データや画像データに付属した管理情報を転送し合うことが出来る。
【００６５】
１０４は光学ファインダーであり、撮影レンズ３１０に入射した光線を、一眼レフ方式によって、絞り３１２、レンズマウント３０６および１０６、ミラー１３０および１３２を介して導き、光学像として結像表示することが出来る。これにより、画像表示部２８による電子ビューファインダー機能を使用することなしに光学ファインダー１０４のみを用いて撮影を行うことが可能である。また、光学ファインダー１０４内には、表示部５４の一部の機能（合焦表示、手振れ警告表示、フラッシュ充電表示、シャッタースピード表示、絞り値表示、露出補正表示など）が設置されている。
【００６６】
１１０は通信手段で、ＲＳ２３２ＣやＵＳＢ、ＩＥＥＥ１３９４、Ｐ１２８４、ＳＣＳＩ、モデム、ＬＡＮ、無線通信などの各種通信機能を有する。
【００６７】
１１２は通信手段１１０により電子カメラ本体１００を他の機器と接続するコネクタあるいは無線通信の場合はアンテナである。
【００６８】
１２０は、レンズマウント１０６内において、電子カメラ本体１００を撮影レンズユニット３００と接続するためのインターフェース、１２２は電子カメラ本体１００を撮影レンズユニット３００と電気的に接続するコネクタ、１２４はレンズマウント１０６およびあるいはコネクタ１２２に撮影レンズユニット３００が装着されているか否かを検知するレンズ着脱検知手段である。
【００６９】
コネクタ１２２は、電子カメラ本体１００と撮影レンズユニット３００との間で制御信号、状態信号、データ信号などを伝え合うと共に、各種電圧の電流を供給する機能も備えている。また、コネクタ１２２は電気通信のみならず、光通信、音声通信などを伝達する構成としても良い。
【００７０】
１５０は評価値許容範囲メモリであり、各画像評価項目に対して予め求められている良好画像の評価値許容範囲が記憶されている。また、カメラが撮影条件から算出した良好画像の評価値許容範囲も記憶する。
【００７１】
１５１は評価値メモリで、撮影した画像の露出に関するＡＥ評価値や手ブレ評価値など、各画像評価値項目に対しての評価値を記憶する。
【００７２】
１６０ａおよび１６０ｂは手ブレ量検出センサーで、１６０ａは電子カメラ本体１００の上下方向の手ブレ量を検出し、１６０ｂは左右方向の手ブレ量を検出する。
【００７３】
２００はメモリカードやハードディスクなどの記録媒体である。記録媒体２００は、半導体メモリや磁気ディスクなどから構成される記録領域２０２、電子カメラ本体１００とのインターフェース２０４、電子カメラ本体１００と接続を行うコネクタ２０６を備えている。
【００７４】
２１０はメモリカードやハードディスクなどの記録媒体である。記録媒体２１０は、半導体メモリや磁気ディスクなどから構成される記録領域２１２、電子カメラ本体１００とのインターフェース２１４、電子カメラ本体１００と接続を行うコネクタ２１６を備えている。
【００７５】
３００は交換レンズタイプの撮影レンズユニットであり、以下のように構成されている。
【００７６】
３０６は、撮影レンズユニット３００を電子カメラ本体１００と機械的に結合するレンズマウントである。レンズマウント３０６内には、撮影レンズユニット３００を電子カメラ本体１００と電気的に接続する各種機能が含まれている。
【００７７】
３１０は撮影レンズ、３１２は絞りである。
【００７８】
３２０は、レンズマウント３０６および付属品マウント３２４内において、撮影レンズユニット３００を電子カメラ本体１００と接続するためのインターフェース、３２２は撮影レンズユニット３００を電子カメラ本体１００と電気的に接続するコネクタである。
【００７９】
コネクタ３２２は、電子カメラ本体１００とレンズユニット３００との間で制御信号、状態信号、データ信号などを伝え合うと共に、各種電圧の電流を供給されるあるいは供給する機能も備えている。また、コネクタ３２２は電気通信のみならず、光通信、音声通信などを伝達する構成としても良い。
【００８０】
３４０は測光手段４３からの測光情報に基づいて、シャッター１２を制御するシャッター制御手段４０と連携しながら、絞り３１２を制御する絞り制御手段である。
【００８１】
３４２は撮影レンズ３１０のフォーカシングを制御する測距制御手段、３４４は撮影レンズ３１０のズーミングを制御するズーム制御手段である。
【００８２】
３５０は撮影レンズユニット３００全体を制御するレンズシステム制御回路である。レンズシステム制御回路３５０は、動作用の定数、変数、プログラムなどを記憶するメモリや撮影レンズユニット３００固有の番号などの識別情報、管理情報、開放絞り値や最小絞り値、焦点距離などの機能情報、現在や過去の各設定値などを保持する不揮発メモリの機能も備えている。
【００８３】
図２は、撮影者が選択した画像評価項目に関して、撮影した画像が所定レベル以下の評価であった際、記録媒体内の所定レベル以下画像専用のフォルダーに画像データを記録する場合のフローチャートである。
【００８４】
はじめに、撮影者は予め用意されている下記画像評価項目の内どの画像評価項目に対して撮影した画像を評価するか、画像評価項目選択ボタン６６により１つもしくは複数項目選択する（ステップ１０１）。
【００８５】
（１）ピントに関するＡＦ評価値
（２）露出に関するＡＥ評価値（詳細は図５を参照して後述する）
（３）コントラストに関する評価値（詳細は図６を参照して後述する）
（４）手ブレに関する評価値（詳細は図７を参照して後述する）
レリーズボタン（図示せず）の半押しによりレリーズスイッチＳＷ１（６２）がＯＮされると（ステップ１０２）、ＡＦ（オートフォーカス）処理（ステップ１０３）およびＡＥ（自動露出）処理（ステップ１０４）、ＡＷＢ（オートホワイトバランス）処理を行う（ステップ１０５）。ステップ１０３からステップ１０５は、レリーズボタン（図示せず）の全押しによってレリーズスイッチＳＷ２（６４）がＯＮされるまで繰り返し実行する。
【００８６】
レリーズスイッチＳＷ２（６４）がＯＮされると（ステップ１０６のＹＥＳ側）、測光手段４３の測光結果からシステム制御回路が露出演算で決定した露光時間に基づいてシャッター制御手段４０はシャッター１２を制御駆動し、撮像素子１４は装着された撮影レンズユニット３１０を透過した光線を受光、信号電荷を蓄積する。撮像素子１４からのアナログ信号出力をＡ／Ｄ変換器１６によってデジタル信号に変換し、デジタル信号となった画像データを画像処理回路２０により所定の画素補間処理や色変換処理が施された後、メモリ制御回路２２を介して、あるいはＡ／Ｄ変換器１６の画像データが直接メモリ制御回路２２を介して画像メモリ２４あるいはメモリ３０に書き込むという撮像に係る一連の動作を開始する（ステップ１０７）。
【００８７】
システム制御回路５０は、ステップ１０１にて撮影者が選択した画像評価項目についての評価値を算出し、評価値メモリ１５１に記憶させる（ステップ１０８）。
【００８８】
続いてシステム制御回路５０は、評価値許容範囲メモリ１５１から撮影者が選択した画像評価項目についての良好画像の評価値許容範囲を読み出し、先に求めた各画像評価値項目に対応する評価値と比較する（ステップ１０９）。
【００８９】
算出された評価値が前記評価値許容範囲内であれば（ステップ１０９のＹＥＳ側）、撮影された画像はその画像評価値項目に関して撮影状態が良好であるとみなし、記録媒体２００の記録領域２０２内に撮影状態が良好な画像用のフォルダーが既に存在するかを判別する（ステップ１１０）。
【００９０】
撮影状態が良好な画像用のフォルダーが存在する場合は（ステップ１１０のＹＥＳ側）、前記撮影状態が良好な画像用フォルダーに画像データを記録する（ステップ１１２）。
【００９１】
記録媒体２００の記録領域２０２内に撮影状態が良好な画像用のフォルダーが存在していなかった場合は（ステップ１１０のＮＯ側）、システム制御回路５０は記録媒体２００の記録領域２０２内に撮影状態が良好な画像用のフォルダーを作成し（ステップ１１１）、作成したフォルダーに画像データを記録する（ステップ１１２）。
【００９２】
一方、算出された評価値が前記評価値許容範囲外であった場合は（ステップ１０９のＮＯ側）、撮影された画像はその画像評価項目に関して撮影状態が悪いとみなし、記録媒体２００の記録領域２０２内に撮影状態が悪い画像用のフォルダーが既に存在するかを判別する（ステップ１１３）。
【００９３】
撮影状態が悪い画像用のフォルダーが存在する場合は（ステップ１１３のＹＥＳ側）、前記撮影状態が悪い画像用フォルダーに画像データを記録する（ステップ１１５）。
【００９４】
記録媒体２００の記録領域２０２内に撮影状態が悪い画像用のフォルダーが存在していなかった場合は（ステップ１１３のＮＯ側）、システム制御回路５０は記録媒体２００の記録領域２０２内に撮影状態が悪い画像用のフォルダーを作成し（ステップ１１４）、作成したフォルダーに画像データを記録する（ステップ１１５）。
【００９５】
図５は、図２の評価値算出ステップ１０８の画像評価項目（ＡＥ（自動露光制御）に基づくもの）を説明するフローチャートである。
【００９６】
一般に、露出不足の画像は、コントラストが低くかつノイズが多くなり低画質となる。また、露出過多の画像も白飛びして細かな画像情報が焼失し、コントラストも低くなり低画質となる。使用する撮像素子１４の特性に応じて、適正な露出の範囲が存在し、被写体の明るさに応じた適正露出範囲を得るために、図１の電子カメラの撮影レンズユニット３００には絞り３１２が設けられている。絞り３１２の制御量は、被写体が暗過ぎて撮像素子１４から得られる画像信号の輝度レベルが過小な時に減少し、撮像素子１４に入射する光量を上げる。また、被写体が明る過ぎて撮像素子１４から得られる画像信号の輝度レベルが過大な時に増大し、撮像素子１４に入射する光量を下げる。つまり、撮像素子１４に入射する光量が適量な範囲（適正露出）にあれば、撮影した画像の平均輝度レベルも適正露出に対応した範囲内に収まるようになる。
【００９７】
Ａ／Ｄ変換後の画像データ全体もしくは画像中央部分の平均輝度レベルを検出し（ステプ４０１）、評価値メモリ１５１に露出に関するＡＥ評価値として記憶する（ステップ４０２）。
【００９８】
前記ＡＥ評価値は、図２のステップ１０９において、評価値許容範囲メモリ１５０に記憶されている予め求められた平均輝度レベル許容範囲の範囲内にあるか判別される。
【００９９】
図６は、図２の評価値算出ステップ１０８の画像評価項目（コントラストに基づくもの）を説明するフローチャートである。
【０１００】
通常、コントラストの低い画像は生彩感が乏しく、画質が良好であるとは言えない。コントラストが強過ぎても不自然な画調となることがある。適切なコントラストの画像は生彩感がありながら自然で高画質となることが多い。よって、度を越さない程度で十分大きなコントラストを持った画像は良好な画質であるといえる。
【０１０１】
図１の撮像素子１４の受光面中央付近に投影された画像に関して、Ａ／Ｄ変換後の画像のピクセルデータの明暗レベル分布から、明レベル部分と暗レベル部分との差（コントラスト）を算出し（ステップ５０１）、算出されたコントラスト値をコントラスト評価値として評価値メモリ１５１に記憶する（ステップ５０２）。
【０１０２】
前記コントラスト評価値は、図２のステップ１０９において、評価値許容範囲メモリ１５１に記憶されている予め求められたコントラスト値許容範囲の範囲内にあるか判別される。
【０１０３】
図７は、図２の評価値算出ステップ１０８の画像評価項目（手ブレに基づくもの）を説明するフローチャートである。
【０１０４】
前にも述べた通り、手ブレが生じると被写界が流れて露光されるため、全体にぼやけた画質の悪い画像が撮影される。
【０１０５】
システム制御回路５０は、撮像時のシャッター速度と焦点距離から手ブレ量最大許容値を算出し（ステップ６０１）、前記手ブレ量最大許容値以下を手ブレ量許容範囲として評価値許容範囲メモリ１５０に記憶させる（ステップ６０２）。
【０１０６】
レリーズボタンＳＷ２がＯＮされたと同時に、手ブレ量検出センサー１６０ａから上下方向の手ブレ量を取得し、もう一方の手ブレ量検出センサー１６０ｂから左右方向の手ブレ量を取得する。システム制御回路５０は、これらの手ブレ量について二乗値の和あるいは絶対値の和などから撮影時の電子カメラ本体１００全体の手ブレ量を算出し（ステップ６０３）、手ブレ評価値として評価値メモリ１５１に記憶する（ステップ６０４）。
【０１０７】
前記手ブレ評価値は、図２のステップ１０９において、ステップ７０１で評価値許容範囲メモリ１５１に記憶された手ブレ量許容範囲の範囲内であるか判別される。
【０１０８】
以上説明したように、本発明第１実施形態では、各画像評価項目に対応する良好画像の評価値許容範囲を評価値許容範囲メモリ１５０に予め記憶させておくか、あるいは撮影時の撮影条件から算出した良好画像の評価値許容範囲を評価値許容範囲メモリ１５０に記憶させておき、撮影時に算出した、各画像評価項目に関する撮影した画像の評価値と比較することで、撮影した画像が選択した各画像評価項目に関して良好であるか、否かを判別することが可能であり、良好であった場合は記録媒体２００内の撮影状態良好画像用フォルダーに画像データを記録し、否の場合は記録媒体２００内の撮影状態不良画像用フォルダーに画像データを記録する。このような構成の電子カメラでは、撮影者が選択した１つもしくは複数の画像評価項目に対して撮影した画像を評価し、撮影状態が良好な画像であった場合は撮影状態が良好な画像用のフォルダーに記録し、撮影状態の悪い画像であった場合は撮影状態が悪い画像用のフォルダーに記録することで、撮影者は撮影状態が良好な画像と悪い画像を容易に区別することが可能である。
【０１０９】
〈第２の実施形態〉
第２の実施形態は、撮影した画像が所定のレベル以下であった際、そのことを示す付帯情報を画像データに付帯し記録媒体に記録する電子カメラの実施形態である。なお、第２の実施形態の構成については、第１の実施形態（図２）と同様であるので、ここでの構成説明は省略する。
【０１１０】
図３は、撮影者が選択した画像評価項目に関して画像評価を行った際に、所定レベル以下であると判定された画像のみを画像表示部に表示し、表示された画像を確認しながら記録媒体から消去する画像データを選択する場合のフローチャートである。
【０１１１】
操作部７４を操作することにより、撮影状態不良画像再生モードにすると（ステップ２０１）、システム制御回路５０は、記録媒体２００内の記録領域２０２の撮影状態不良画像用フォルダーに記録されている画像データの中で、付されている日付時刻情報が最も新しい画像データをインターフェース９０および２０４、コネクタ９２および２０６を介して読み出し、画像表示メモリ２４に書き込む（ステップ２０２）。
【０１１２】
画像表示メモリ２４に書き込まれた表示用の画像データは、Ｄ／Ａ変換器２６を介して画像表示部２８により表示される（ステップ２０３）。
【０１１３】
撮影者は再生画像移動ボタン６８の＋（プラス）ボタンまたは−（マイナス）ボタンを操作することによって、画像表示部２８に表示する画像データを順次変更することが可能であり、＋（プラス）ボタンが操作されたと判断すると（ステップ２０４のＹＥＳ側）、これはより新しい日時に撮影された画像データへの表示切換えを指示するための操作であるとして、システム制御回路５０は撮影状態不良画像用フォルダーに記録されている画像データの中で、現在表示している画像データより１つ新しい日付時刻情報が付されている画像データをインターフェース９０および２０４、コネクタ９２および２０６を介して読み出し、画像表示メモリ２４に書き込む（ステップ２０５）。但し、現在表示している画像データに付されている日付時刻情報が最も新しい場合は、最も古い日付時刻情報が付されている画像データを読み出し、画像表示メモリ２４に書き込む。
【０１１４】
−（マイナス）ボタンが操作されたと判断すると（ステップ２０６のＹＥＳ側）、これはより古い日時に撮影された画像データへの表示切換えを指示するための操作であるとして、システム制御回路５０は撮影状態不良画像用フォルダーに記録されている画像データの中で、現在表示している画像データより１つ古い日付時刻情報が付されている画像データをインターフェース９０および２０４、コネクタ９２および２０６を介して読み出し、画像表示メモリ２４に書き込む（ステップ２０７）。但し、現在表示している画像データに付されている日付時刻情報が最も古い場合は、最も新しい日付時刻情報が付されている画像データを読み出し、画像表示メモリ２４に書き込む。
【０１１５】
撮影者はステップ２０３からステップ２０７を繰り返すことにより、撮影状態不良画像用フォルダーに記録されている画像の内、所望の画像を画像表示部２８に表示することが可能である。
【０１１６】
ステップ２０３からステップ２０７の動作により、画像表示部２８に撮影者が記録媒体から消去したい画像を表示させたまま画像消去ボタン７２を押すと（ステップ２０８のＹＥＳ側）、システム制御回路５０は記録媒体２００の記録領域２０２内の撮影状態不良画像用フォルダーから選択した画像の画像データを消去する（ステップ２０５）。
【０１１７】
ステップ２０３からステップ２０８の一連の動作は、撮影状態不良画像再生モード以外のモードが選択されるまで続けられる（ステップ２１０のＮＯ側）。
【０１１８】
操作部７４を操作することにより、撮影状態不良画像再生モード以外のモードが選択されたならば（ステップ２１０のＹＥＳ側）、撮影状態不良画像の再生を終了する（ステップ２１１）。
【０１１９】
以上説明したように、本発明第３の実施形態では、撮影者が選択した画像評価項目に基づいて評価され、その結果、撮影状態の悪い画像であると判定された画像データのみを画像表示部２８に表示させ、表示した画像を撮影者が確認し、不要であると判断した場合は、画像消去ボタン７２を押すことによって、現在画像表示部２８に表示されている画像の画像データを記録媒体２００から消去することが可能である。
【図面の簡単な説明】
【０１２０】
【図１】本発明の実施形態における、電子カメラの構成を示すブロック図である。
【図２】撮影者が選択した画像評価項目に関して、撮影した画像が所定レベル以下の評価であった際、記録媒体内の所定レベル以下画像専用のフォルダーに画像データを記録する場合のフローチャートである。
【図３】撮影者が選択した画像評価項目に関して画像評価を行った際に、所定レベル以下であると判定された画像のみを画像表示部に表示し、表示された画像を確認しながら記録媒体から消去する画像データを選択する場合のフローチャートである。
【図４】図２の評価値算出ステップ１０８の画像評価項目（ＡＥ（自動露光制御）に基づくもの）を説明するフローチャートである。
【図５】図２の評価値算出ステップ１０８の画像評価項目（コントラストに基づくもの）を説明するフローチャートである。
【図６】図２の評価値算出ステップ１０８の画像評価項目（手ブレに基づくもの）を説明するフローチャートである。
【図７】手ブレ補正機構付きカメラを示す図である。
【符号の説明】
【０１２１】
１００  電子カメラ本体
３００  撮影レンズユニット
１４  撮像素子
１６  Ａ／Ｄ変換器
２０  画像処理回路
２４  画像表示メモリ
２８  画像表示部
５０  システム制御回路
６２  レリーズシャッタースイッチＳＷ１
６４  レリーズシャッタースイッチＳＷ２
６６  画像評価項目選択ボタン
６８  再生画像移動ボタン
７０  画像消去ボタン
１６０ａ、１６０ｂ  手ブレ量検出センサー
１５０  評価値許容範囲メモリ
１５１  評価値メモリ
２００、２１０  記録媒体
【図１】
2005184609.tif 000003
【図２】
2005184609.tif 000004
【図３】
2005184609.tif 000005
【図４】
2005184609.tif 000006
【図５】
2005184609.tif 000007
【図６】
2005184609.tif 000008
【図７】
2005184609.tif 000009